(57)【特許請求の範囲】
【請求項１】
内部回路材を収容したケース本体にロアカバーを結合し、前記内部回路材に接続された電線群を通す電線挿通口を前記ロアカバーに設けている車載用の電気接続箱において、
前記ロアカバーの底壁の周縁から矩形状に切り欠いた底面開口からなる前記電線挿通口を設け、前記底面開口の１つの角部のアールに沿って円弧状のバンド通し部を設け、該バンド通し部は底面開口を囲む周縁と底壁底面との間に断面Ｕ形状の突出部を設けて形成し、
前記電線群を電線挿通口の位置で前記バンド通し部に通した結束バンドにより結束してロアカバーに保持していることを特徴とする車載用の電気接続箱。
【請求項２】
前記ロアカバーの電線挿通口に連続した側面開口をロアカバーの周壁の上端より切り欠いて設け、該側面開口の一側端縁に薄肉ヒンジ部を介して側面開口を閉鎖する蓋を設けている請求項１に記載の車載用の電気接続箱。
【請求項３】
前記ロアカバーの周壁外面および前記ケース本体の外面と、該ケース本体から突設するブラケットとに囲まれた電線挿通部を設けると共に、該電線挿通部の下端に連続するロアカバーの底壁に電線ガイド用の窪み部を設け、前記電線挿通口を通した電線群をロアカバーの底壁に添わせ、前記窪み部を介して前記電線挿通部を通して上方に引き出している請求項１または請求項２に記載の車載用の電気接続箱。
【発明の詳細な説明】
【技術分野】
【０００１】
本発明は車載用の電気接続箱に関し、特に、電気接続箱の内部回路材と接続する電線群を外部へ引き出す部分における電線群の固定機構を改良するものである。
【背景技術】
【０００２】
電気接続箱から引き出される電線群の固定機構に関しては、従来より種々の提案がなされており、例えば、本出願人の出願に係わる特開２０００−２５３５３６号公報では、図９に示すように、ロアカバー１００の周壁に設けた電線引出口１０１の上面に引き出しガイド１０２を周壁より外方に向けて突設している。該電線引き出し口１０１から引き出されるワイヤハーネス１０３を引き出しガイド１０２の下面に添わせて外方へ引き出し、引き出しガイド１０２の突出端側に設けた挿通環１０４に結束バンド１０５を通してワイヤハーネス１０３を引き出しガイド１０２に固定している。
【０００３】
前記特許文献１では、電線引出口の周縁より突出するガイド片の突出側で電線群と結束バンドを用いて電線群の結束とガイド片との固定とを行っているが、該ガイド片の先端と該ガイド片から引き出されると電線群との間にテープを巻き付けて電線群の結束とガイド片との固定を行っている場合も多い。
【０００４】
【特許文献１】特開２０００−２５３５３６号公報
【発明の開示】
【発明が解決しようとする課題】
【０００５】
前記のように、電線引出口の周縁から突設するガイド片の先端側で電線群と結束バンドやテープ巻きで固定すると、ガイド片の先端はロアカバーの周壁から距離があり、かつ、ロアカバーに結合されるケース本体内の電線接続端との間の距離が更に長くなるため、電線群の安定性が悪くなり、車両走行時の振動でガタつきが生じやすくなる。
また、電線引出口から引き出した電線をロアケースの周壁に沿って横方向に配線する場合は、電線引出口から突出させたガイド片に電線群を結束バンドやテープで固定してからロアカバーの周壁に添わせて横出しする必要があり、作業性が悪い。
特に、ロアカバーの周壁に沿って他の機器が設置されたり、車体パネルが近接し、ガイド片が他の機器や車体パネルと干渉して突出できない場合がある。その場合、機器や車体パネルと干渉しない位置にガイド片を設けなければならず、電線群を引き回して配線長さが大となったり、また、引き回す位置で他の機器と干渉する恐れもある。
【０００６】
本発明は、電気接続箱から引き出される電線群の配線経路として最適な箇所の周壁の外方に、干渉する機器やパネルが存在し、ガイド片を設けることが出来ない場合に好適に用いることができると共に、電線群を安定して電気接続箱より引き出すことが出来るようにすることを課題としている。
【課題を解決するための手段】
【０００７】
前記課題を解決するため、本発明は、内部回路材を収容したケース本体にロアカバーを結合し、前記内部回路材に接続された電線群を通す電線挿通口を前記ロアカバーに設けている車載用の電気接続箱において、
前記ロアカバーの底壁の周縁から矩形状に切り欠いた底面開口からなる前記電線挿通口を設け、前記底面開口の１つの角部のアールに沿って円弧状のバンド通し部を設け、該バンド通し部は底面開口を囲む周縁と底壁底面との間に断面Ｕ形状の突出部を設けて形成し、
前記電線群を電線挿通口の位置で前記バンド通し部に通した結束バンドにより結束してロアカバーに保持していることを特徴とする車載用の電気接続箱を提供している。
【０００８】
前記のように、本発明では、ロアカバーの底壁に電線挿通口を設け、該電線挿通口の周縁に沿って設けたバンド通し部に結束バンドを通し、電線挿通口の位置で電線群を構成するワイヤハーネスを結束バンドで電線同士を結束すると同時にロアカバーに電線群を固定している。
即ち、本発明の電気接続箱では、電線挿通口を通す電線群のガイド片やカバー部をロアカバーから突設しておらず、電線挿通口の出口で結束バンドで結束してロアカバーの底壁に直接的に固定している。これにより、電気接続箱の周壁外方に干渉する機器やパネルが存在しても、電線群をロアカバーに固定することができ、ロアカバーの底壁に直接電線群を固定することにより、該固定位置からケース本体の内部回路材との接続端までの電線寸法を短くできるため、電線群をロアカバー内部で安定させることができる。
かつ、ロアカバーの底壁の電線挿通口位置で電線群を結束バンドで固定して入るため、該電線挿通口から引き出される電線の配線方向に制約を受けず、ロアカバーの底壁下面に添わせて横出しすることも容易にできる。
【０００９】
前記のように、ロアカバーの底壁の電線挿通口は、底壁の周縁から矩形状に切り欠いた底面開口からなり、該矩形状の底面開口の１つの角部のアールに沿って円弧状の前記バンド通し部を設け、該バンド通し部は底面開口を囲む周縁と底壁底面との間に断面Ｕ形状の突出部を設けて形成している。
前記のように、 バンド通し部を底面開口の周縁に沿って円弧形状に形成すると、 結束する電線群の外周に添わせやすくなり、 結束バンドの作業性が良くなる。
なお、結束バンドは係止片を突設した貫通穴を有する本体部から係止歯を設けたバンド部が突出し、該バンド部を前記バンド通し部に挿通し、電線群に巻き付けた後に前記貫通穴に貫通させて係止歯を係止片に係止させるものである。
【００１０】
前記ロアカバーの電線挿通口に連続した側面開口をロアカバーの周壁の上端より切り欠いて設け、該側面開口の一側端縁に薄肉ヒンジ部を介して側面開口を閉鎖する蓋を設けていることが好ましい。
【００１１】
前記のように、ロアカバーの周壁の上端から側面開口を設け、該側面開口に底壁の底面開口を連通して設け、底壁に設ける電線挿通口を貫通穴としていないことにより、貫通穴へのピンポイント的な電線群の通し作業を不要としているため、作業性を高めることができる。
【００１２】
本発明の電気接続箱では、ロアカバーから電線群を引き出してロアカバーの底壁に添わせた後に、ロアカバーの周壁の他側より上方へと引き出する配線経路が、電気接続箱より引き出される電線群（ワイヤハーネス）の最適経路となるものである。
よって、前記ロアカバーの周壁外面および前記ケース本体の外面と、該ケース本体から突設するブラケットとに囲まれた電線挿通部を設けると共に、該電線挿通部の下端に連続するロアカバーの底壁に電線ガイド用の窪み部を設け、前記電線挿通口を通した電線群をロアカバーの底壁に添わせ、前記窪み部を介して前記電線挿通部を通して上方に引き出している。
【００１３】
前記電線群を上方へ引き出す通路となる前記電線挿通部では、ロアカバーおよびケース本体の外周面がＬ形状に窪む屈折部があり、ケース本体の屈折部の一端側に取り付けるブラケットとで囲み、該電線挿通部に通す電線群を挿通保持している。
【発明の効果】
【００１４】
前述したように、本発明に係わる車載用の電気接続箱では、該電気接続箱の内部回路材と接続する電線群をロアカバーの底壁に設けた電線挿通口を通し、該開口周縁に設けたバンド通し部に挿通した結束バンドで前記電線群を結束すると共にロアカバーの底壁に直接固定しているため、電線挿通口より突設したガイド片の先端側で電線群を結束バンドで結束するよりは、電線群を安定して保持することができる。
かつ、外部機器やパネル等と干渉するために電線挿通口よりガイド片が突設できない場合においても、電線挿通口の位置で結束バンドにより結束してロアカバーに固定することができる。
さらに、電線挿通口の位置で電線群をロアカバーに固定しているため、該電線挿通口から引き出される電線群を底壁に添わせる横出しもスムーズに行うことができる利点を有する。
【発明を実施するための最良の形態】
【００１５】
以下、本発明の実施形態の電気接続箱を図面を参照して説明する。
図１は上方から見た電気接続箱１の斜視図、図２（Ａ）は下方から見た電気接続箱１の斜視図、図２（Ｂ）は電気接続箱１から引き出される電線群Ｗ（ワイヤハーネス）を示す斜視図である。
【００１６】
電気接続箱１は、ケース本体２の下部にロアカバー３をロック結合して取り付けると共にケース本体２の上部にアッパーカバー（図示せず）をロック結合して組み立てている。
ケース本体２の内部には、図１に示すように、リレー装着部２ａ、ヒューズ装着部２ｂを設けている。これらリレー装着部２ａ、ヒューズ装着部２ｂに取り付けるリレーおよびヒューズと接続する電線群はケース本体２からロアカバー３へと引き出し、図３に示すように、ロアカバー３の底壁３ａに設けた電線挿通口５を通して外部へ引き出している。該電線挿通口５は略四角形状とし、該ロアカバー３の１つの角部に接した位置に設けている。
【００１７】
図２（Ｂ）に示すように、電気接続箱１の内部より電線挿通口５を通して引き出した電線群Ｗは、電線挿通口５を設けた側の外方に、機器（または車体パネル）Ａが存在し、電線群Ｗを電線挿通口５より機器側の外方へは引き出せない配置となっている。
よって、電線群Ｗをロアカバーの底壁３ａの下面に添わせて横方向へ配線し、電線挿通口５と同一辺の他方側の角部に設けた電線ガイド用の窪み３ｂに当接させ、ロアカバーの周壁３ｃの外面およびケース本体２の周壁２ｃの外面と、該ケース本体２から突設する第１ブラケット２０とに囲まれた電線挿通部７を通して電気接続箱１の上方へと引き出している。
【００１８】
前記ロアカバーの底壁３ａに設ける電線挿通口５は、図３（Ａ）に示すように周壁３ｃから切り欠いた略矩形状としている。このように矩形状の開口とすることにより、電線群Ｗの外周と電線挿通口５の４隅との間に空間を形成し、電線群の挿通作業性を高めていると共にケース内部からの水抜き穴として利用できるようにしている。
電線挿通口５の周縁にリブ８を下向きに設けている。該電線挿通口５の奥側の一方側角部のアールに沿って円弧形状のバンド通し部１０を設けている。
該バンド通し部１０は、図６（Ｂ）に示すように、リブ８の一部から断面Ｕ形状の下向き突起を一体成形で設けて形成している。該バンド通し部１０の中空部は図７に示す結束バンド１２のバンド部１２ａを挿通できる大きさとしている。
【００１９】
結束バンド１２は汎用品からなり、図７に示すように、係止片１２ｂを突設した貫通穴１２ｃを有する本体部１２ｄから係止歯１２ｅを設けたバンド部１２ａが突出し、該バンド部１２ａをバンド通し部１０に挿通し、電線群Ｗに巻き付けた後に貫通穴１２ｃに貫通させ、バンド部１２ａの係止歯１２ｅを係止片１２ｂに係止させるものである。
【００２０】
ロアカバー３の底壁３ａに設けた電線挿通口５に連続させて、図３（Ｂ）に示すように、ロアカバーの周壁３ｃの上端から下端までを欠いた側面開口１４を設けている。該側面開口１４の一側端縁に薄肉ヒンジ部１６を介して側面開口１４を閉鎖する蓋１７を設けている。該蓋１７の先端にロック爪１７ａを設け側面開口１４の他側端縁に設けた係止部１８に電線群Ｗを通した後にロック結合している。
【００２１】
前記ロアカバーの底壁３ａに設ける電線ガイド用の窪み３ｂは、電線挿通口５と同一辺の他方側の角部に設ける前記電線挿通部７に連通するように円弧形状の浅底として形成している。
前記電線ガイド用の窪み３ｂを浅底としているのは、電線群Ｗをロアカバーの底壁３ａに沿わせて配索できるようにするためであり、電線群Ｗの外形の約１／３程度が窪み３ｂ内に挿入される浅底とし、電線群Ｗが完全に挿入できる深さの窪みとはしていない。
このように、窪み３ｂを浅底としているため、ロアカバー３の内部へ窪み３ｂが大きく突出せず、ロアカバー３の内部の容積が減少しないためロアカバー内部での電線引き回しの自由度が増すと共にロアカバー全体の小型化にも寄与することができる。
【００２２】
前記ロアカバー３は、図３（Ａ）に示すように、周壁３ｃ−１〜３ｃ−６からなり、周壁３ｃ−５と３ｃ−６によりＬ形状に窪む屈折部３ｅを形成している。また、ケース本体２は、図４に示すように、周壁２ｃ−１〜２ｃ−６からなり、周壁２ｃ−５と２ｃ−６によりＬ形状に窪む屈折部２ｅを形成している。ロアカバー３がケース本体２に組み付けられると、屈折部３ｅと２ｅが連続することで、二辺が開口となる電線挿通部７を形成する。
前記ケース本体２の屈折部２ｅの近傍には、電気接続箱１を車体に固定するために後述する第１ブラケット２０をロック結合して取り付けている。具体的には、ケース本体２の周壁２ｃ―４、２ｃ―５にそれぞれ設けられた被ロック部２ｇ−１、２ｇ−２に第１ブラケット２０のロック部２０ｂ−１、２０ｂ−２を結合している。また、ケース本体２の周壁２ｃの両側角部に第２ブラケット２１、第３ブラケット２２をそれぞれロック結合して取り付けている。
【００２３】
前記第１ブラケット２０は、図５（Ａ）（Ｂ）に示すように、ケース本体２の屈折部２ｅの一端側の角部２ｆに沿って周壁２ｃ−４、２ｃ−５を跨ぐように外嵌するＬ形状の取付面２０ａを備え、該取付面２０ａの内方面にそれぞれ１個のロック部２０ｂ−１、２０ｂ−２を設けている一方、ケース本体２の角部２ｆの両側外面に対向して周壁２ｃ−４、２ｃ−５のそれぞれに被ロック部２ｇ−１、２ｇ−２を設けている。
第１ブラケット２０は取付面２０ａの外方面から外方へ向けて水平に延在する突出部２０ｄを備えている。取付面２０ａと突出部２０ｄは、上面視略Ｔ字形状となるように一体的に形成される。
【００２４】
第１ブラケット２０は、前記突出部２０ｄの一方から上向きに突出した車体固定部２０ｆを設け、該車体固定部２０ｆにボルト穴２０ｇを設けている。車体固定部２０ｆの上部から前記取付面２０ａの内方に向けて前記ロック部２０ｂ−２との平行線上に配置される横向き突出部２０ｈを設け、車体固定部２０ｆの上部と横向き突出部２０ｈとにバンド通し穴２０ｉと２０ｊを設けている。第１ブラケット２０のロック部２０ｂ−１、２０ｂ−２とケース本体２の被ロック部２ｇ−１、２ｇ−２がそれぞれ結合されると、前記突出部２０ｄの基部２０ｄ−１が前記電線挿通部７の二辺開口のうちの一辺と対応する箇所に配置される。従って、電線挿通部７は、周壁２ｃ−５、２ｃ−６（３ｃ−５、３ｃ−６）と基部２０ｄ−１により三辺を有することになり、一辺が開口状態となっている。
前記電線挿通部７において、三辺によって区画された空間Ｃを通し、上向きに配線される電線群Ｗを２方向に分岐し、前記バンド通し穴２０ｉと２０ｊに通した結束バンドＴ１とＴ２で分岐させた電線群Ｗ１、Ｗ２とを夫々結束している。
【００２５】
ケース本体２に取り付ける前記第２、第３ブラケット２１、２２も第１ブラケット２０と同様に、ケース本体２の角部に外嵌するＬ形状の取付面を備え、該取付面の両側にそれぞれ１個のロック部を設け、ケース本体２の角部の外面に設けた被ロック部とロック結合している。
【００２６】
前記構成からなる電気接続箱１における電線群Ｗの引き出し及び引き出し後の配線方法について、以下に説明する。
【００２７】
ケース本体２に収容するリレーおよびヒューズと接続した電線群Ｗを、ロアカバー３の周壁３ｂの側面開口１４よりロアケース３内部に押し込み、該電線群Ｗを底壁３ａの電線挿通口５より引き出す。
前記側面開口１４は図６（Ａ）に一点鎖線で示すように蓋１７で塞ぎ、蓋１７の先端のロック爪１７ａを係止部１８にロックして、電線群Ｗをロアカバー３内に収める。
【００２８】
ロアカバー３の底壁３ａのバンド通し部１０に、図６（Ａ）および図７（Ｂ）に示すように、結束バンド１２のバンド部１２ａを通し、バンド部１２ａを電線挿通口５を挿通する電線群Ｗに巻き付けた後、本体部１２ｄの貫通穴１２ｃに通し、バンド部１２ａの係止歯１２ｅを係止片１２ｂに係止する。これにより、電線群Ｗを結束すると共に結束した電線群Ｗをロアカバー３の底壁３ａの電線挿通口５の周縁に固定する。
【００２９】
電線挿通口５から引き出し、結束バンド１２で結束固定した電線群Ｗを、図２（Ｂ）に示すように、底壁３ａの下面に沿って横出しし、電線ガイドの窪み部３ｂに挿入して、電線挿通部７へと上向きに屈曲して配線する。
電線挿通部７では、ロアカバー周壁３ｃの屈折部３ｅと第１ブラケット２０の三辺で区画される空間Ｃに挿入し、該電線挿通部７の上方で電線群Ｗを左右方向に分岐し、分岐線Ｗ１を第１ブラケット２０に設けたバンド通し部２０ｉに通した結束バンドＴ１で結束し
分岐線Ｗ２をバンド通し部２０ｊに通した結束バンドＴ２で結束し、分岐線Ｗ１とＷ２を配線方向を固定している。
【００３０】
前記のように、電気接続箱１から引き出す電線群Ｗをロアカバー３の底壁３ａに設けた電線挿通口５を通る位置で結束バンド１２で結束し、底壁３ａに電線群Ｗを直接的に固定しているため、電線群Ｗを安定させることができる。
かつ、電線挿通口５の位置で電線群Ｗをロアカバー３に固定しているため、電線挿通口５の位置か電線群Ｗを横出しして底壁３ａにスムーズに添わせることができる。
さらに、図８中で一点鎖線で示すように、電気接続箱１の側方に機器Ａがあっても、電線挿通口５から電線ガイドを突出させていないために干渉せず、かつ、底壁３ａに添わせて電線群Ｗを配線するため、側方に配置する機器Ａに影響を受けることなく、電線群Ｗの配線方向として最適な配線方向に配線することができる。
【００３１】
また、ロアカバー３の底壁に添わせた後に上向きに配線する際に、ロアカバー３の周壁３ｃに設けた屈折部３ｅと第１ブラケット２０とで囲まれた電線挿通部７に通すため、ロアカバー３やケース本体２に電線ガイド手段を付設することなく、車体固定用のブラケットを利用して電線群Ｗを上向き配線方向に保持できる。さらに、電線群Ｗを上向きに通した後に分岐させた際に、第１ブラケット２０に設けたバンド通し部２０ｉ、２０ｊに通した結束バンドＴ１，Ｔ２で分岐線Ｗ１，Ｗ２を結束することで、分岐方向に固定することができる。
【００３２】
なお、車体固定用のブラケットはケース本体やロアカバーの周壁から一体的に突出させたものでもよい。
【図面の簡単な説明】
【００３３】
【図１】本発明の実施形態に係わる電気接続箱を上方から見た斜視図である。
【図２】（Ａ）は電気接続箱を下方から見た斜視図、（Ｂ）は電線群を引き出した状態を示す下方から見た斜視図である。
【図３】ロアカバーを示し、（Ａ）は底面図、（Ｂ）は側面図である。
【図４】ケース本体の平面図である。
【図５】第１ブラケットを示し、（Ａ）は平面図、（Ｂ）は正面図である。
【図６】（Ａ）はロアカバーの電線挿通口の部分の拡大図、（Ｂ）はバンド通し部の断面図である。
【図７】（Ａ）は結束バンドを示す概略図、（Ｂ）はハンド通し部に通した結束バンドで電線群を結束している状態を示す説明図である。
【図８】電線挿通部を示す平面図である。
【図９】従来例を示す図面である。
【符号の説明】
【００３４】
１  電気接続箱
２  ケース本体
２ｃ  周壁
２ｅ  屈折部
２ｇ  被ロック部
３  ロアカバー
３ａ  底壁
３ｂ  電線ガイド用の窪み
３ｃ  周壁
３ｅ  屈折部
５  電線挿通口
７  電線挿通部
１０  バンド通し部
１２  Ｔ１、Ｔ２  結束バンド
１４  側面開口
１７  蓋
２０  第１ブラケット
Ｗ    電線群
Ｗ１、Ｗ２  分岐線
【図１】
0005061920.tif 000002
【図２】
0005061920.tif 000003
【図３】
0005061920.tif 000004
【図４】
0005061920.tif 000005
【図５】
0005061920.tif 000006
【図６】
0005061920.tif 000007
【図７】
0005061920.tif 000008
【図８】
0005061920.tif 000009
【図９】
0005061920.tif 000010